(57)【要約】【課題】装置の多大な大型化やコストアップをせずに、不要なタブ紙を視認可能に排紙することにより容易に除去することが可能な画像形成装置及びタブ付シートの排紙方法を提供すること。【解決手段】給紙トレイにタブ付シートを収容し、タブ付シートをタブの向きが予め設定された向きで、排紙される記録用紙間の予め設定された位置に積載されるように排紙する画像形成装置であって、収容され次に給紙されるタブ付シートについて、不要か否かを判定する判定手段１０３と、不要と判定されたタブ付シートを、予め設定された向きと異なるタブの向きとなるように排紙するように排紙手段１２３を制御するタブ紙排紙制御手段１０４とを備える。【選択図】図２
2007161406.tif 000002
【特許請求の範囲】
【請求項１】
記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙する画像形成装置であって、
前記給紙トレイに収容され次に給紙されるタブ付シートについて、不要か否かを判定する判定手段と、
前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする画像形成装置。
【請求項２】
記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙することにより印刷物として出力する画像形成装置であって、
前記印刷物の出力が一時的に中止された後に、再び前記印刷物の出力を開始したことを検知する再開検知手段と、
前記再開検知手段が再開を検知したときに、前記給紙トレイに収容され次に給紙されるタブ付シートについて、不要か否かを判定する判定手段と、
前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする画像形成装置。
【請求項３】
前記タブ付シートは、１組が複数枚で構成され、
前記１組あたりの枚数を入力する入力手段と、
給紙されるタブ付シートの前記１組あたりの枚数をカウントし、該１組ごとにリセットされる第１のカウンタと、
排紙されるタブ付シートの前記１組あたりの枚数をカウントし、該１組ごとにリセットされる第２のカウンタと、を備え、
前記判定手段は、
前記再開検知手段が再開を検知したときの前記第１及び第２のカウンタのカウント値に基づいて、前記給紙トレイに収容され次に給紙されるタブ付シートについて、前記判定を行う請求項２に記載の画像形成装置。
【請求項４】
前記判定手段は、
前記前記第１のカウンタのカウント値と第２のカウンタのカウント値との差分を取得し、前記取得した差分に基づいて前記判定を行う請求項３に記載の画像形成装置。
【請求項５】
記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙することにより一束の印刷物として出力する画像形成装置であって、
前記一束の印刷物の出力の終了を検知する終了検知手段と、
前記検知手段が前記終了を検知したときに、前記給紙トレイに収容され次に給紙されるタブ付シートについて、不要か否かを判定する判定手段と、
前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする画像形成装置。
【請求項６】
前記タブ付シートは、１組が複数枚で構成され、
前記１組あたりの枚数を入力する入力手段と、
給紙されるタブ付シートの前記１組あたりの枚数をカウントし、該１組ごとにリセットされるカウンタと、を備え、
前記判定手段は、
前記終了検知手段が終了を検知したときの前記カウンタのカウント値に基づいて、前記給紙トレイに収容され次に給紙されるタブ付シートについて、前記判定を行う請求項５に記載の画像形成装置。
【請求項７】
前記制御手段が前記制御を行った場合に、前記不要と判定されたタブ紙を排紙したこと旨の表示を行う表示手段を更に備える請求項１乃至請求項６に記載の画像形成装置。
【請求項８】
記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙されるタブ付シートの排紙方法であって、
前記給紙トレイに収容され次に給紙されるタブ付シートについて、不要か否かを判定する判定段階と、
前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とするタブ付シートの排紙方法。
【請求項９】
記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙され印刷物として出力されるタブ付シートの排紙方法であって、
前記印刷物の出力が一時的に中止された後に、再び前記印刷物の出力を開始したことを検知する段階と、
前記再開を検知したときに、前記給紙トレイに収容され次に給紙されるタブ付シートについて、不要か否かを判定する判定段階と、
前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とするタブ付シートの排紙方法。
【請求項１０】
記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙され一束の印刷物として出力されるタブ付シートの排紙方法であって、
前記一束の印刷物の出力の終了を検知する段階と、
前記終了を検知したときに、前記給紙トレイに収容され次に給紙されるタブ付シートについて、不要か否かを判定する判定段階と、
前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とするタブ付シートの排紙方法。
【発明の詳細な説明】
【技術分野】
【０００１】
本発明は、画像形成装置、及び、タブ付シートの排紙方法に関し、特に、タブ付シートの紙詰まりやタブ付シートの使用枚数などにより発生する不要なタブ付シートの排紙に関する。
【背景技術】
【０００２】
近年、例えば出力した記録用紙間の予め設定された位置に、タブ付シート（以下、タブ紙ということがある）を積載する複写機及びプリンタ（複写機及びプリンタを以下画像形成装置という）が提案されている。
【０００３】
ここで、タブ紙について説明する。図１３は、タブ紙の形状の一例を示す図である。図１３に示すように、タブ紙は、一辺を形成する端部に、例えば端部から突出する凸形状のタブが形成されている。また、図１４に、記録用紙間にタブ紙を積載した一例を示す。図１４には、記録用紙及びタブ紙が順に排紙トレイに排紙され積載された様子を示す。まず、記録用紙が１枚目から３枚目まで排紙され、次にタブ紙（Ｎｏ．１）がタブの向きが排紙方向後端側となる向きで排紙され、以下、記録用紙が４枚目、５枚目、タブ紙（Ｎｏ．２）、記録用紙が６枚目、７枚目、タブ紙（Ｎｏ．３）の順で排紙されたものである。このようにしてタブ紙を記録用紙間に挿入することにより、タブ紙による章分けや、タブへの見出し付けをした印刷物が作成可能となるのである。
【０００４】
また、図１４に示したように、３枚のタブ紙はタブの向きが、下側のタブ紙から順に端部に沿って図の奥側から手前側に変化している。これは、各タブを見やすいようにするためである。つまり、タブ紙を使用する場合、タブの位置が重なったり、順序が変わってしまったりすることは好ましくない。したがって、タブ紙は、上記のようにタブの位置を徐々に変化させたものを１組として記録用紙間に順に挿入される。また、その組単位で複数が給紙トレイに収容されて１組ずつ使用される。
【０００５】
ところが、例えば３枚が１組のタブ紙のうち２枚だけ使用するような場合、３枚目のタブ紙が余剰となる。また、タブ紙が紙詰まりとなってしまった場合、例えば、２枚目のタブ紙が紙詰まりとなったら、次の組の２枚目のタブ紙を使用するので、余剰となるタブ紙が発生する。このとき、ユーザは、余剰となる不要なタブ紙を予め取り除いて準備する必要があり、ユーザは煩雑作業を行わなければならなかった。
【０００６】
そこで、複数の排紙トレイを備え、不要となったタブ紙を別の排紙トレイに分別して排紙し、容易に除去できるようにした画像形成装置がある（例えば、特許文献１参照。）。また、記録用紙を排紙方向とは直交する方向にずらして排紙することが可能な例えば後処理装置を備え、不要となったタブ紙ずらして排紙することにより、不要タブ紙を容易に識別し除去できるようにした画像形成装置がある（例えば、特許文献２参照。）。
【０００７】
【特許文献１】特開２００２−３０６３号公報
【特許文献２】特開２００４−１０６９６１号公報
【発明の開示】
【発明が解決しようとする課題】
【０００８】
しかしながら、特許文献１記載の画像形成装置は、複数の排紙トレイ、及び、複数の排紙トレイのそれぞれに排紙するための機構が必要であった。また、特許文献２記載の画像形成装置は、上述の後処理装置、または、排紙方向とは直交する方向にずらして排紙するための機構が必要であった。装置の多大な大型化やコストアップの原因となっていた。
【０００９】
本発明は、このような事情に鑑みてなされたもので、装置の多大な大型化やコストアップをせずに、不要なタブ紙を視認可能に排紙することにより容易に除去することが可能な画像形成装置及びタブ付シートの排紙方法を提供することを目的としている。
【課題を解決するための手段】
【００１０】
上記目的を達成するために、請求項１に記載の発明は、記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙する画像形成装置であって、前記給紙トレイに収容され次に給紙されるタブ付シートについて、不要か否かを判定する判定手段と、前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする。
【００１１】
また、請求項２に記載の発明は、記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙することにより印刷物として出力する画像形成装置であって、前記印刷物の出力が一時的に中止された後に、再び前記印刷物の出力を開始したことを検知する再開検知手段と、前記再開検知手段が再開を検知したときに、前記給紙トレイに収容され次に給紙されるタブ付シートについて、不要か否かを判定する判定手段と、前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする。
【００１２】
また、請求項３に記載の発明は、前記タブ付シートは、１組が複数枚で構成され、前記１組あたりの枚数を入力する入力手段と、給紙されるタブ付シートの前記１組あたりの枚数をカウントし、該１組ごとにリセットされる第１のカウンタと、排紙されるタブ付シートの前記１組あたりの枚数をカウントし、該１組ごとにリセットされる第２のカウンタと、を備え、前記判定手段は、前記再開検知手段が再開を検知したときの前記第１及び第２のカウンタのカウント値に基づいて、前記給紙トレイに収容され次に給紙されるタブ付シートについて、前記判定を行うことを特徴とする。
【００１３】
また、請求項４に記載の発明は、前記判定手段は、前記前記第１のカウンタのカウント値と第２のカウンタのカウント値との差分を取得し、前記取得した差分に基づいて前記判定を行うことを特徴とする。
【００１４】
また、請求項５に記載の発明は、記録用紙を収容するための複数の給紙トレイと、画像データに基づいて画像が形成された前記記録用紙を表または裏のいずれか一方を選択的に上側にして排紙可能な排紙手段とを備え、前記複数の給紙トレイのいずれかにタブ付シートを収容し、前記タブ付シートを前記タブの向きが予め設定された向きで、前記排紙される記録用紙間の予め設定された位置に積載されるように前記排紙手段によって表または裏のいずれか一方を上側にして排紙することにより一束の印刷物として出力する画像形成装置であって、前記一束の印刷物の出力の終了を検知する終了検知手段と、前記検知手段が前記終了を検知したときに、前記給紙トレイに収容され次に給紙されるタブ付シートについて、不要か否かを判定する判定手段と、前記判定手段により不要と判定されたタブ付シートを、前記予め設定された向きとは異なるタブの向きにするために、前記一方に対して他方となる表または裏を上側にして排紙するように前記排紙手段を制御する制御手段とを備えることを特徴とする。
【００１５】
また、請求項６に記載の発明は、前記タブ付シートは、１組が複数枚で構成され、前記１組あたりの枚数を入力する入力手段と、給紙されるタブ付シートの前記１組あたりの枚数をカウントし、該１組ごとにリセットされるカウンタと、を備え、前記判定手段は、前記終了検知手段が終了を検知したときの前記カウンタのカウント値に基づいて、前記給紙トレイに収容され次に給紙されるタブ付シートについて、前記判定を行うことを特徴とする。
【００１６】
また、請求項７に記載の発明は、前記制御手段が前記制御を行った場合に、前記不要と判定されたタブ紙を排紙したこと旨の表示を行う表示手段を更に備えることを特徴とする。
【００１７】
また、請求項８に記載の発明は、記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙されるタブ付シートの排紙方法であって、前記給紙トレイに収容され次に給紙されるタブ付シートについて、不要か否かを判定する判定段階と、前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とする。
【００１８】
また、請求項９に記載の発明は、記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙され印刷物として出力されるタブ付シートの排紙方法であって、前記印刷物の出力が一時的に中止された後に、再び前記印刷物の出力を開始したことを検知する段階と、前記再開を検知したときに、前記給紙トレイに収容され次に給紙されるタブ付シートについて、不要か否かを判定する判定段階と、前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とする。
【００１９】
また、請求項１０に記載の発明は、記録用紙を収容するための複数の給紙トレイと、画像データに基づいて画像が形成された前記記録用紙を表または裏のいずれか一方を選択的に上側にして排紙可能な排紙手段とを備える画像形成装置において、前記複数の給紙トレイのいずれかに収容され、前記タブの向きが予め設定された向きで、前記排紙される記録用紙間の予め設定された位置に積載されるように前記排紙手段によって表または裏のいずれか一方を上側にして排紙され一束の印刷物として出力されるタブ付シートの排紙方法であって、前記一束の印刷物の出力の終了を検知する段階と、前記終了を検知したときに、前記給紙トレイに収容され次に給紙されるタブ付シートについて、不要か否かを判定する判定段階と、前記判定段階で不要と判定されたタブ付シートを、前記予め設定された向きとは異なるタブの向きにするために、前記一方に対して他方となる表または裏を上側にして排紙するように前記排紙手段を制御する段階とを含むことを特徴とする。
【発明の効果】
【００２０】
本発明に係る画像形成装置及びタブ付シートの排紙方法によれば、表裏のいずれか一方を選択的に上側にして排紙可能な排紙手段を制御して、給紙トレイに収容されている不要なタブ紙を予め設定されたタブの向きと異なる向きで排紙することにより、不要なタブ紙が視認可能となり、容易に除去することが可能となる。また、排紙手段の制御により実現できるので、装置の多大な大型化やコストアップを生じることがない。
【発明を実施するための最良の形態】
【００２１】
以下、本実施の形態の画像形成装置１を、画像データに基づいてＣはシアン（青緑色）、Ｍはマゼンタ（赤紫色）、Ｙはイエロー（黄色）、Ｋはブラック（黒色）の各基本色の画像を重ね合わせて形成することにより記録用紙にカラー画像を形成するものを一例として説明する。また、本実施の形態の画像形成装置１は、〔背景技術〕で図１３を用いて示したタブ付シート（以下、タブ紙）の挿入を行うものである。また、タブ紙とは、〔背景技術〕で説明したように一辺を形成する端部に、例えば端部から突出する凸形状のタブが形成されているシートである。
【００２２】
（装置構成）
先ず、本発明に係る一実施の形態の画像形成装置１の概略構成について、図１を参照して説明する。図１は、画像形成装置１の概略機械構成を示す断面図である。また、各部の動作を記録用紙の場合を例に説明するがタブ紙の場合も同様に動作する。
【００２３】
図１に示すように、画像形成装置１は、画像読取部ＳＣと、給紙部４０と、画像形成手段としての作像部１０Ｙ、１０Ｍ、１０Ｃ、１０Ｋ（纏めて作像部１０ということがある、他のＹ，Ｍ，Ｃ及びＫを付して示すものも同様）、中間転写体ユニット７、定着部５０と、切換部７５、反転排紙部３０及び反転給紙部８０と、排紙部６０と、後処理部２０５とを含んで構成される。
【００２４】
画像読取部ＳＣは、複写機の上部に位置し、自動原稿送り装置２０１と原稿画像走査露光装置２０２からなり、自動原稿送り装置２０１により搬送される原稿ｄの画像が原稿画像走査露光装置２０２の光学系により撮像素子であるラインイメージセンサＣＣＤにより読取られ、アナログ信号に光電変換される。
【００２５】
ラインイメージセンサＣＣＤにより光電変換されたアナログ信号は、後述する図示しない画像処理部において、アナログ処理、Ａ／Ｄ変換、シェーディング補正、画像圧縮処理等が行われることにより、いわゆるビットマップグラフィックスと呼ばれ、横方向に所定の間隔（解像度）で配置された複数の画素（画素をｄｏｔ（ドット）ということがある）で１ラインを構成し、さらにラインが縦方向に所定の間隔で並べられ、各画素が濃度で示される描画情報により示すラスターデータである画像データが作成される。
【００２６】
作像部（作像手段）１０Ｙ、１０Ｍ、１０Ｃ、１０Ｋは鉛直方向に縦列配置されており、感光体ドラム１Ｙ、１Ｍ、１Ｃ、１Ｋの図示左側にはローラ７１、７２、７３、７４を巻回して回動可能に張架された半導電性エンドレスベルト状の中間転写体７０が配置されている。また、中間転写体７０は中間転写体駆動ローラ７１により中間転写体駆動ローラ７１に接続された図示しない駆動装置により矢印方向に搬送されている。
【００２７】
イエロー色の画像を形成する作像部１０Ｙは、感光体ドラム１Ｙ、帯電手段２Ｙ、レーザ露光ユニット３Ｙ、現像手段４Ｙ、１次転写ローラ５Ｙ、クリーニング手段６Ｙ及び図示しないイレーサを有する。
【００２８】
感光体ドラム１Ｙは回転体であり、図示しない駆動手段によって駆動され矢印方向に回転する。また、感光体ドラム１Ｙの周囲には１次転写ローラ５Ｙを起点として感光体ドラム１Ｙの回転方向に沿って、クリーニング手段６Ｙ、図示しないイレーサ、帯電手段２Ｙ、及び現像手段４Ｙが配置されている。また、レーザ露光ユニット３Ｙは、帯電手段２Ｙと現像手段４Ｙとの間に位置する。そして、イレーサで感光体ドラム１Ｙの表面を除電した後、帯電手段２Ｙにより所定の極性で所定の電位に一様に帯電させて、レーザ露光ユニット３Ｙによりレーザ光を走査することにより静電潜像を形成する。そして、静電潜像を現像手段４Ｙによって現像しトナー像を形成する。
【００２９】
レーザ露光ユニット３Ｙは、画像データに基づいて図示しないレーザダイオードを変調し、矢印方向に回転する感光体ドラム１Ｙ上にその回転方向に対し直角方向にレーザ光を走査するものである。また、このレーザ光の走査方向を主走査方向、感光体ドラム１Ｙの回転方向を副走査方向という。
【００３０】
また、マゼンタ色の画像を形成する作像部１０Ｍは、同様に、感光体ドラム１Ｍ、帯電手段２Ｍ、レーザ露光ユニット３Ｍ、現像手段４Ｍ、１次転写ローラ５Ｍ、クリーニング手段６Ｍ及び図示しないイレーサを有する。
【００３１】
また、シアン色の画像を形成する作像部１０Ｃは、同様に、感光体ドラム１Ｃ、帯電手段２Ｃ、レーザ露光ユニット３Ｃ、現像手段４Ｃ、１次転写ローラ５Ｃ、クリーニング手段６Ｃ及び図示しないイレーサを有する。
【００３２】
また、黒色の画像を形成する作像部１０Ｋは、同様に、感光体ドラム１Ｋ、帯電手段２Ｋ、レーザ露光ユニット３Ｋ、現像手段４Ｋ、１次転写ローラ５Ｋ、クリーニング手段６Ｋ及び図示しないイレーサを有する。
【００３３】
１次転写ローラ５Ｙ、５Ｍ、５Ｃ、５Ｋは、画像の種類に応じて選択的に作動するように制御されてそれぞれ対応する感光体ドラム１Ｙ、１Ｍ、１Ｃ、１Ｋに中間転写体７０を押圧し、トナー像を中間転写体７０側に転写させる。
【００３４】
このようにして、作像部１０Ｙ、１０Ｍ、１０Ｃ、１０Ｋにより感光体ドラム１Ｙ、１Ｍ、１Ｃ、１Ｋに形成された各色の画像は、１次転写ローラ５Ｙ、５Ｍ、５Ｃ、５Ｋにより、回動する中間転写体７０上に逐次転写されて、合成されたカラー画像が形成される。また、作像部１０Ｋにより感光体ドラム１Ｋに形成された黒色の画像のみを、１次転写ローラ５Ｋにより、回動する中間転写体７０上に転写することにより、モノクロ画像を形成する。
【００３５】
さらに、ローラ７２に対し中間転写体７０をはさんで対向するローラ７２に圧接される２次転写ローラ５Ａを備える。この２次転写ローラ５Ａは、ここを記録用紙が通過して２次転写が行われるときにのみ、中間転写体７０及び記録用紙を介しローラ７２に圧接され、中間転写体７０上に形成された画像は記録用紙側に転写される。
【００３６】
一方、給紙部４０は、複数の給紙トレイ４１（図では、４１ａ、４１ｂ、及び、４１ｃの３つ）を備えている。そして、記録用紙はいずれかの給紙トレイ４１から図示しない駆動手段により駆動される給紙ローラ対４２（図では、４２ａ、４２ｂ、及び、４２ｃの３つ）により選択的に１枚ずつ給紙・搬送され、記録用紙の先端がレジストローラ対２３に達したら一旦停止される。また、給紙検知手段１２１は、給紙され搬送される記録用紙を検知するセンサである。また、タブ紙は、タブの向きを給紙方向の先端側または後端側とする向きで給紙トレイ４１に収容される。
【００３７】
さらに、図示しない駆動手段により駆動されるループローラ対２２Ｄにより、ループローラ対２２Ｄとレジストローラ対２３の間で記録用紙によるループが形成され、記録用紙は、所定のタイミングをとってレジストローラ対２３により搬送され、２次転写ローラ５Ａの中間転写体７０への圧接位置へ送られる。
【００３８】
そして、上述したように、２次転写ローラ５Ａの中間転写体７０への圧接位置で記録用紙に画像が転写され、さらに、記録用紙は定着部５０へ送られる。
【００３９】
定着部５０（定着手段）は、図示しないヒータ等の熱源を含み、その熱源により加熱される定着ローラ（加熱ローラ）５２と、図示しない付勢手段としての加圧ローラ押圧手段により定着ローラ５２に対して押圧され、定着ローラ５２とともに記録用紙を挟持する加圧ローラ５１とで主に構成されている。そして、図示しない駆動手段により駆動される定着ローラ５２と加圧ローラ５１とで記録用紙を搬送し、加熱することでトナー像を記録用紙に定着し、記録用紙を定着部５０から切換部７５に出力する。
【００４０】
切換部７５は、切換ガイドソレノイド（図示せず）により動作する切換ガイド７６を動作させることにより、記録用紙の搬送方向を排紙部６０または反転排紙部３０に切り換える。
【００４１】
反転排紙部３０は、搬送ローラ対３１、３３を備えている。搬送ローラ対３１、３３は、図示しない駆動手段により駆動され、記録用紙を搬送する。そして、記録用紙の表裏を反転し排紙する場合には、反転排紙部３０は、記録用紙の搬送方向を切換えて排紙部６０に搬送する。また、さらに裏面にプリントを行う場合には、搬送ローラ対３１、３３により記録用紙を更に搬送し、反転給紙部８０に送る。
【００４２】
反転給紙部８０は、反転給紙ガイド８２、搬送ローラ対８１、８３、８４及び８５を備えている。搬送ローラ対８１、８３、８４及び８５は、図示しない駆動手段により駆動され、記録用紙を搬送する。反転給紙ガイド８２は、記録用紙を搬送ローラ対８３方向にガイドする。そして、反転給紙部８０は、記録用紙を反転給紙ガイド８２から搬送ローラ対８１の方向に搬送し、記録用紙の後端が反転給紙ガイド８２を通過したら、搬送方向を切換え、記録用紙は、反転給紙ガイド８２にガイドされて、搬送ローラ対８３方向に搬送され、反転ローラ８６により記録用紙の表裏が反転されて、さらにレジストローラ対２３方向に搬送される。これにより、記録用紙の裏面に再び作像部１０で画像形成が行われることになる。
【００４３】
排紙部６０は、図示しない駆動手段により駆動される搬送ローラ対６１を備えている。そして、排紙部６０は、定着部５０側から搬送される記録用紙または反転排紙部３０側から搬送される記録用紙を排紙トレイに２５に排紙する。また、排紙検知手段１２２は、搬送ローラ対６１から排紙トレイに２５に排紙される記録用紙を検知するセンサである。
【００４４】
排紙手段１２３は、反転排紙部３０、排紙部６０及び排紙トレイに２５を含んで構成される。
【００４５】
また、図示しないが、本画像形成装置１には、上記の給紙検知手段１２１及び排紙検知手段１２２のほかにも記録用紙を検知するセンサが複数設けられ、上述の搬送の際などの制御に用いられる。
【００４６】
（排紙について）
ここで、排紙手段１２３による排紙について説明する。
【００４７】
まず、記録用紙またはタブ紙を定着部５０から切換ガイド７１の上側を搬送し排紙部６０から排紙する場合をストレート排紙、記録用紙またはタブ紙を定着部５０から切換ガイド７１の下側を搬送し、反転排紙部３０で搬送方向を切換えて排紙部６０に送ることにより記録用紙またはタブ紙の表裏を反転して排紙部６０から排紙する場合を反転排紙という。つまり排紙手段１２３は、記録用紙の表裏のいずれか一方を選択的に上側にして排紙可能な排紙手段である。
【００４８】
例えば、記録用紙の片面（表面）に画像形成し、ストレート排紙を行うことにより、画像が形成された表面が上側にされて排紙トレイに２５に積載される。このように、片面（表面）に画像形成しストレート排紙を行うことを、両面に画像形成する場合と区別するために片面ストレート排紙という場合がある。
【００４９】
また、記録用紙の片面（表面）に画像形成し、反転排紙を行うことにより、画像が形成された表面が下側にされて排紙トレイに２５に積載される。このように、片面（表面）に画像形成し反転排紙を行うことを、両面に画像形成する場合と区別するために片面反転排紙という場合がある。
【００５０】
また、記録用紙の両面（表面及び裏面）に画像形成し、ストレート排紙を行うことにより、画像が形成された表面が下側にされて排紙トレイに２５に積載される。このように、両面に画像形成しストレート排紙を行うことを、片面に画像形成する場合と区別するために両面ストレート排紙という場合がある。両面ストレート排紙における表面の向きは片面反転排紙の場合と同じとなる。
【００５１】
また、記録用紙の両面（表面及び裏面）に画像形成し、反転排紙を行うことにより、画像が形成された表面が上側にされて排紙トレイに２５に積載される。このように、両面に画像形成し反転排紙を行うことを、片面に画像形成する場合と区別するために両面反転排紙という場合がある。両面反転排紙における表面の向きは片面ストレート排紙の場合と同じとなる。
【００５２】
また、タブ紙の場合にも上述のストレート排紙または反転排紙により表裏が変化させることが可能である。したがって、排紙トレイに２５に排紙されるタブ紙のタブの向きは、ストレート排紙または反転排紙によって変化することになる。ここで、タブ向きは、排紙方向の先端側とする向きまたは後端側とする向きのいずれかとなる。
【００５３】
例えば、給紙トレイ４１にタブの向きを給紙方向の後端側とする向きで収容されている場合には、片面ストレート排紙及び両面反転排紙であれば、排紙されるタブ紙のタブの向きは排紙方向の後端側とする向きで排紙される。この排紙方向は、〔背景技術〕で用いた図１４には示したタブの向きである。一方、両面ストレート排紙及び片面反転排紙であれば、排紙されるタブ紙のタブの向きは排紙方向の先端側とする向きで排紙される。この排紙方向は、〔背景技術〕で用いた図１４には示したタブ紙のタブの向きとは反対向きとなる。
【００５４】
（制御構成）
本実施の形態は、不要なタブ紙のタブの向きを予め設定された向きとは変えて排紙することにより、不要なタブ紙を視認可能とし、容易に除去できるようにするものである。以下、本実施の形態の制御構成の一例について説明する。図２は、制御構成を示す機能ブロック図である。ここで、上述の各部を纏めてハードウェア群１０２とする。
【００５５】
図２に示すように、本画像形成装置１の制御構成は、入力手段１０７、制御部１００、及び、ハードウェア群１０２を備えている。
【００５６】
入力手段１０７は、例えば図３に示すように、キー領域１１２に配置されるテンキー１１３、タブ紙設定キー１１４、スタートキー１１５及びストップキー１１６などの各種キー、及び、表示手段１１１を構成する液晶タッチパネル等を含んで構成される。これらの各種キー、液晶タッチパネル等を用いての各種入力が可能である。また、入力手段１０７を用いて、各種キーや液晶タッチパネルなどを操作して、排紙するときのタブ紙のタブの向きの設定などを含む画像データに基づいて行う印刷についての各種設定（印刷設定）及び印刷を開始するための印刷指示、及び、タブ紙に関する設定を行うためのタブ紙設定指示の入力が可能である。また、図３に示す表示手段１１１の表示は、待機時の画面であり、コピー／プリントが可能な状態であることをユーザに示している。また、給紙トレイ４１のうちの上段の給紙トレイ４１ａにＡ４サイズの記録用紙、中段の給紙トレイ４１ｂにＡ４サイズのタブ紙、及び、下段の給紙トレイ４１ｃにＢ４サイズの記録用紙が収容されていることを示している。
【００５７】
ここで、タブ紙設定指示の入力についてさらに説明する。図３で、タブ紙設定キー１１４を押下すると、液晶タッチパネルの表示手段１１１の表示が図４に示すように切り替わる。ユーザは、液晶タッチパネルや各種キーを操作して、タブ紙を収容する給紙トレイ、１組あたりのタブ紙の枚数を入力する。例えば、図４に示すようにタブ紙を中段の給紙トレイに収容し、タブ紙は１組あたり３枚と入力する。また、印刷指示は、詳細には図示しないが、例えば印刷設定キーを設けておき、まず、それを押下することによって、表示手段１１１の表示を切換えて印刷設定の入力を行う。例えば、印刷するページ数、片面または両面印刷、排紙方向、各タブ紙を何枚目の記録用紙の後に挿入するか、または、タブ紙を排紙するときのタブ紙のタブの向きなどを含む各種設定指示を入力する。そして、スタートキー１１５を押下して印刷指示として入力される。
【００５８】
ここで、タブ紙について図５、図１４を用いて説明する。図５に、タブ紙の一例として１組あたり３枚の例を示す。給紙トレイ４１に収容するときに上側、すなわち初めに給紙されるタブ紙をタブ紙（Ｎｏ．１）、以下、タブ紙（Ｎｏ．２）、タブ紙（Ｎｏ．３）とすると、図５に示すようにタブの位置が、タブ紙（Ｎｏ．１）から順に端部に沿って図の奥側から手前側に変化している。また、給紙トレイ４１は、複数組収容する。また、本例では、図５に示すタブ紙をタブの向きを給紙方向の後端側とする向きで給紙トレイ４１に収容するものとする。
【００５９】
また、入力手段１０７を用いた印刷設定の入力で、例えば３枚目、５枚目及び７枚目の記録用紙後にタブの向きを排紙方向の後端側とする向きで挿入する旨を入力することにより、記録用紙とタブ紙は、図１４に示したように排紙トレイ２５に排紙され積載され、１部（１束）の印刷物を構成する。
【００６０】
また、入力手段１０７は、制御部１００の制御手段１０１に制御され表示手段１１１に警告などの表示を行う、本発明の報知手段を構成する。
【００６１】
図２に戻り、制御構成を説明する。制御部１００は、ＣＰＵ（ｃｅｎｔｒａｌ  ｐｒｏｃｅｓｓｉｎｇ  ｕｎｉｔ）等の演算制御装置によって構成される制御手段１０１を含む。また、制御部１００は、プログラムを格納するＲＯＭ（ｒｅａｄ−ｏｎｌｙ  ｍｅｍｏｒｙ）等のプログラム格納部（図示省略）を含み、制御手段１０１は、格納されたプログラムや入力手段１０７で入力される指示情報などに従って画像形成装置１の各部の制御を行う。また、そのプログラムを実行するときのワークエリアを構成するシステムメモリ（図示せず）や不揮発性ＲＡＭ（ｒａｎｄｏｍ  ａｃｃｅｓｓ  ｍｅｍｏｒｙ）などで構成される記憶手段を含んで構成され、給紙タブ番号記憶手段１０５及び排紙タブ番号記憶手段１０６を含んでいる。
【００６２】
給紙タブ番号記憶手段１０５は、例えば、給紙トレイ４１の最上部にあるタブ紙の１組での枚数を示す給紙タブ番号を記憶する。給紙タブ番号は、タブ紙の給紙を給紙検知手段１２１が検知すると、図６（ａ）に示す数値の左側から右側の順で変化する。図６（ａ）は、給紙タブ番号の変化を左から右に示したものである。例えば、入力手段１０７から印刷開始指示を受け、その印刷の１枚目を開始するときに、このとき、給紙トレイ４１の最上部は、例えば３枚１組のタブ紙の１枚目であるタブ紙（Ｎｏ．１）であるから、制御手段１０１は「１」にリセットする。そして、給紙検知手段１２１によりタブ紙（Ｎｏ．１）が給紙されたことを検知すると制御手段１０１によりインクリメントされ「２」となる。つまり、このとき、給紙トレイ４１の最上部は、例えば３枚１組のタブ紙の２枚目であるタブ紙（Ｎｏ．２）であることを示す。さらに、給紙検知手段１２１によりタブ紙（Ｎｏ．２）が給紙されたことを検知すると制御手段１０１によりインクリメントされ「３」となる。つまり、このとき、給紙トレイ４１の最上部は、例えば３枚１組のタブ紙の３枚目であるタブ紙（Ｎｏ．３）であることを示す。そして、給紙検知手段１２１によりタブ紙（Ｎｏ．３）が給紙されたことを検知すると制御手段１０１はインクリメントするが、タブ紙は３枚１組で次は１枚目であるから「１」とする。したがって、このとき、給紙トレイ４１の最上部は、例えば３枚１組のタブ紙の１枚目であるタブ紙（Ｎｏ．１）であることを示すことができる。つまり、タブ紙の１組あたりの枚数をＳとすると、給紙タブ番号はタブ紙の給紙に伴い１〜Ｓと変化する。つまり、給紙タブ番号は、給紙トレイ４１の最上部のタブ紙すなわち次に給紙されるタブ紙が１組のタブ紙のいずれであるかを特定するための数値である。また、給紙検知手段１２１及び給紙タブ番号記憶手段１０５は、本発明の第１のカウンタを構成し、給紙タブ番号は第１のカウンタのカウント値を示す。
【００６３】
排紙タブ番号記憶手段１０６は、排紙トレイ２５の直近に排紙されたタブ紙の１組での枚数を示す排紙タブ番号を記憶する。排紙タブ番号は、タブ紙の排紙を排紙検知手段１２２が検知すると、図６（ｂ）に示す数値の左側から右側の順で変化する。図６（ｂ）は、排紙タブ番号の変化を左から右に示したものである。例えば、入力手段１０７から印刷開始指示を受け、その印刷の１枚目を開始するときに、このとき、排紙トレイ２５には、タブ紙は排紙されていないから、制御手段１０１は「０」にリセットする。そして、給紙検知手段１２１によりタブ紙（Ｎｏ．１）が給紙され、排紙検知手段１２２によりタブ紙（Ｎｏ．１）が排紙されたことを検知すると制御手段１０１によりインクリメントされ「１」となる。つまり、このとき、排紙トレイ２５には、例えば３枚１組のタブ紙の１枚目であるタブ紙（Ｎｏ．１）が排紙されたことを示す。さらに、給紙検知手段１２１によりタブ紙（Ｎｏ．２）が給紙され、排紙検知手段１２２によりタブ紙（Ｎｏ．２）が排紙されたことを検知すると制御手段１０１によりインクリメントされ「２」となる。つまり、このとき、排紙トレイ２５には、例えば３枚１組のタブ紙の２枚目であるタブ紙（Ｎｏ．２）が排紙されたことを示す。そして、給紙検知手段１２１によりタブ紙（Ｎｏ．３）が給紙され、排紙検知手段１２２によりタブ紙（Ｎｏ．３）が排紙されたことを検知すると制御手段１０１はインクリメントされ「２」するが、タブ紙は３枚１組であり、タブ紙の１組の排紙が終了したので「０」とする。つまり、タブ紙の１組あたりの枚数をＳとすると、排紙タブ番号はタブ紙の給紙に伴い１〜（Ｓ−１）と変化する。つまり、排紙タブ番号は、排紙トレイ２５に排紙されたタブ紙が１組のタブ紙のいずれであるかを特定するための数値である。また、排紙検知手段１２２及び排紙タブ番号記憶手段１０６は、本発明の第２のカウンタを構成し、排紙タブ番号は第２のカウンタのカウント値を示す。
【００６４】
制御手段１０１は、不要なタブ紙の排紙処理を行うための判定手段１０３、及び、タブ紙排紙制御手段１０４を含んで構成される。
【００６５】
判定手段１０３は、画像形成装置１が紙詰まりの発生などにより一時的に停止した後に再スタートしたことを検知する再開検知手段及び印刷が１部終了したことを検知する終了検知手段としての機能を有し、再スタートまたは１部終了を検知した場合に、給紙トレイ４１の最上部のタブ紙すなわち次に給紙されるタブ紙が不要か否かの判定を行う。
【００６６】
タブ紙排紙制御手段１０４は、判定手段１０３が不要と判定した場合、給紙トレイ４１から不要と判定されたタブ紙を給紙して、印刷設定の入力により予め設定された排紙するときのタブ紙のタブの向きとは変えて排紙するように排紙手段１２３を制御する。例えば、予め設定された向きが片面ストレート排紙で排紙する場合には、不要なタブ紙を片面反転排紙で排紙するように制御する。また、例えば、予め設定された向きが片面反転排紙で排紙する場合には、不要なタブ紙を片面ストレート排紙で排紙するように制御する。
【００６７】
判定手段１０３は、タブ紙が紙詰まりを発生した後などの再スタートを検知したら、まず、給紙タブ番号記憶手段１０５に記憶されている給紙タブ番号と、排紙タブ番号記憶手段１０６に記憶されている排紙タブ番号との差を取得する。図６の（ａ）及び（ｂ）の上下の値を比較すれば、紙詰まりを発生せずに正常に排紙されタブ紙の順序が保たれていれば差は「＋１」である。したがって、取得した差が「＋１」でなければ、順序が保たれていないことから、給紙トレイ４１に不要なタグ紙があると判定する。そして、タブ紙排紙制御手段１０４は、給紙トレイ４１からの不要と判定されたタブ紙の給紙、及び、排紙手段１２３による上述の向きを変えての排紙を行う。このとき、給紙検知手段１２１及び排紙検知手段１２２は、それぞれタブ紙の給紙及び排紙を検知するが、制御手段１０１は、給紙タブ番号記憶手段１０５のみインクリメントする。そして、差が「＋１」となるまで、上述のようにして不要なタブ紙を排紙する。
【００６８】
例えば、タブ紙（Ｎｏ．２）が紙詰まりとなった場合には、給紙タブ番号は「３」、排紙タブ番号は「１」となっている。したがって、給紙タブ番号が「２」となるまで、つまりタブ紙（Ｎｏ．３）及びタブ紙（Ｎｏ．１）を給紙・排紙する。そして、タブ紙（Ｎｏ．２）を再び予め設定された向きで排紙する。図７は、不要なタブ紙の排紙を行った場合に排紙トレイ２５に排紙され積載された記録用紙とタブ紙の様子を示す図である。図７に示すように、タブ紙（Ｎｏ．２）が紙詰まりを発生した場合に不要なタブ紙として排紙されたタブ紙（Ｎｏ．３）及びタブ紙（Ｎｏ．１）はタブの向きを変えて排紙される。
【００６９】
判定手段１０３は、印刷が１部終了を検知したら、まず、給紙タブ番号記憶手段１０５に記憶されている給紙タブ番号を取得する。それぞれの部で初めに挿入されるタブ紙は、タブ紙（Ｎｏ．１）であり、給紙タブ番号は「１」である。したがって、取得した給紙タブ番号が「１」でなければ、給紙トレイ４１に不要なタグ紙があると判定する。そして、タブ紙排紙制御手段１０４は、給紙トレイ４１からの不要と判定されたタブ紙の給紙、及び、排紙手段１２３による上述の向きを変えての排紙を行う。このとき、給紙検知手段１２１及び排紙検知手段１２２は、それぞれタブ紙の給紙及び排紙を検知し、制御手段１０１は、給紙タブ番号記憶手段１０５及び排紙タブ番号記憶手段１０６をインクリメントする。そして、給紙タブ番号が「１」となるまで、上述のようにして不要なタブ紙を排紙する。
【００７０】
例えば、タブ紙の１組あたりの枚数が３枚で、１部当たりに用いるタブ紙の数が２枚の場合には、１部の印刷が終了したときの給紙タブ番号は「３」となっている。したがって、給紙タブ番号が「１」となるまで、つまりタブ紙（Ｎｏ．３）を給紙・排紙する。そして、新たな部の印刷では初めにタブ紙（Ｎｏ．１）を予め設定されたタブの向きで排紙する。図８は、不要なタブ紙の排紙を行った場合に排紙トレイ２５に排紙され積載された記録用紙とタブ紙の様子を示す図である。図８に示すように、不要なタブ紙として排紙されたタブ紙（Ｎｏ．３）はタブの向きを変えて排紙される。
【００７１】
したがって、排紙された不要なタブ紙を視認でき容易に除去できる。また、排紙手段１２３を制御して、ストレート排紙、または、反転排紙を行うことでタブの向きを変えることができるので、装置の多大な大型化やコストアップを生じることがない。
【００７２】
上記から明らかであるが、判定手段１０３が行う次に給紙されるタブ紙が不要か否かの判定は、給紙タブ番号及び排紙タブ番号が条件を満たすまで行うので、判定手段１０３の判定は、次以降に給紙されるタブ紙について行われる。
【００７３】
また、本実施の形態では、給紙タブ番号及び排紙タブ番号を初めにそれぞれ「１」及び「０」にリセットするようにしたが、これに限らず、例えば、初めにそれぞれ「１」及び「１」とし、それぞれ給紙検知手段及び排紙検知手段によるタブ紙の検知に伴ってインクリメントするようにしてもよい。この場合は、例えば、紙詰まり後の不要なタブ紙の判定は、給紙タブ番号及び排紙タブ番号の差分が「０」ではない場合に不要なタブ紙と判定すればよい。
【００７４】
（動作態様）
本実施形態の画像出力装置１において行われる処理の手順の一例について、図９乃至図１２を用いて説明する。図９乃至図１２は、本画像形成装置の動作態様の一例を示すフローチャートである。
【００７５】
初めに、制御手段１０１は、入力手段１０７からの入力にしたがって、タブ紙を収容する給紙トレイ、１組あたりのタブ紙の枚数などのタブ紙についての設定を行う。また、タブ紙が１組あたりの３枚で、給紙トレイ４１にタブの向きを給紙方向の後端側とする向きで収容されている場合を一例として以下説明する。したがって、タブ紙は、給紙トレイ４１に、上から、タブ紙（Ｎｏ．１）、タブ紙（Ｎｏ．２）、タブ紙（Ｎｏ．３）、タブ紙（Ｎｏ．１）、タブ紙（Ｎｏ．２）、・・・タブ紙（Ｎｏ．３）のように収容される。
【００７６】
（タブ紙挿入手順）
まず、タブ紙を挿入するように積載する動作の手順について説明する。図９に示すように、入力手段１０７から、印刷設定を含む印刷指示が入力される（ステップＳ１００、Ｙ。以下、ステップＳ１００をＳ１００と省略して表す。また、他のステップも同様に省略して表す。）。入力を受けて、一例として、印刷ページが７ページ、片面印刷、片面ストレート排紙で、印刷された記録用紙の３枚目、５枚目及び７枚目の後にタブの向きを排紙方向の後端側とする向きで挿入するように設定されたものとする。ここで、タブ紙は給紙トレイ４１にタブの向きを給紙方向の後端側とする向きで収容されているので、片面ストレート排紙を行うことによりタブの向きを排紙方向の後端側とする向きで挿入されることになる。
【００７７】
制御手段１０１は、印刷が可能となったら（Ｓ１０１、Ｙ）、当該ページ（１ページ目）の印刷を開始する（Ｓ１０２）。
【００７８】
紙詰まり後の再開ではなく（Ｓ１０３、Ｎ）、１枚目であるから（Ｓ１０４、Ｙ）、制御手段１０１は、給紙タブ番号記憶手段１０５の給紙タブ番号、及び、排紙タブ番号記憶手段１０６の排紙タブ番号をリセットし、それぞれ「１」「０」とする（Ｓ１０６）。例えば、紙詰まり後の再開であるか否かは、紙詰まりを発生したことを示す所定のフラグによりできる。
【００７９】
タブ紙ではないので（Ｓ１０７、Ｎ）、記録用紙を用いた画像形成を行う（Ｓ１１２）。印刷設定にしたがって、作像部１０で形成された各色のトナー像を中間転写体７０に転写するとともに、給紙トレイ４１から給紙され搬送された記録用紙に転写し、定着部５０で定着させて、予め設定された片面ストレート排紙で排紙し、排紙トレイ２５に積載する。部の最終ページではなく（Ｓ１１３、Ｎ）、印刷終了ではないので（Ｓ１１５、Ｎ）、Ｓ１０１へ遷移する。
【００８０】
再び、制御手段１０１は、印刷が可能となったら（Ｓ１０１、Ｙ）、当該ページ（２ページ目）の印刷を開始する（Ｓ１０２）。
【００８１】
紙詰まり後の再開ではなく（Ｓ１０３、Ｎ）、１枚目ではないから（Ｓ１０４、Ｎ）、Ｓ１０７に遷移する。
【００８２】
タブ紙ではないので（Ｓ１０７、Ｎ）、記録用紙を用いた画像形成を行う（Ｓ１１２）。部の最終ページではなく（Ｓ１１３、Ｎ）、印刷終了ではないので（Ｓ１１５、Ｎ）、Ｓ１０１へ遷移し、２ページ目と同様に３ページ目の印刷を行う。
【００８３】
また、制御手段１０１は、印刷が可能となったら（Ｓ１０１、Ｙ）、当該ページの印刷を開始し（Ｓ１０２）、同様にして、Ｓ１０７に遷移するが、当該ページは、タブ紙であるから（Ｓ１０７、Ｙ）、まず、タブ紙を給紙するように制御する。ここでは、タブ紙（Ｎｏ．１）が給紙される。そして、給紙検知手段１２１によりタブ紙（Ｎｏ．１）が給紙されたことを検知すると（Ｓ１０８）、制御手段１０１は、給紙タブ番号記憶手段１０５の給紙タブ番号をインクリメントし、「２」とする（Ｓ１０９）。さらに、タブ紙を、予め設定された片面ストレート排紙で排紙するように排紙手段１２３を制御し、排紙検知手段１２２によりタブ紙（Ｎｏ．１）が排紙されたことを検知すると（Ｓ１１０）、制御手段１０１は、排紙タブ番号記憶手段１０６の排紙タブ番号をインクリメントし、「１」とする（Ｓ１１１）。そして、（Ｓ１１３、Ｎ）、（Ｓ１１５、Ｙ）からＳ１０１へ遷移する。
【００８４】
そして、上記の手順と同様にして、４ページ目、５ページ目が同様に印刷され、さらに、タブ紙（Ｎｏ．２）が挿入され、給紙タブ番号及び排紙タブ番号は、それぞれ「３」及び「２」となる。さらに、６ページ目、７ページ目が同様に印刷され、さらに、タブ紙（Ｎｏ．３）が挿入され、給紙タブ番号及び排紙タブ番号は、それぞれ「１」及び「０」となる。
【００８５】
ここで、１部の印刷が終了であるから（Ｓ１１３、Ｙ）、Ｓ１１４に遷移する。タブ紙排紙処理Ｂの詳細について、図１２に示す。図１２に示すように、制御手段１０１の判定手段１０３は、給紙タブ番号記憶手段１０５の給紙タブ番号を参照する。判定手段１０３は、この給紙タブ番号から給紙トレイ４１の最上部のタブ紙が不要なタブ紙か否かを判定する。このときの給紙タブ番号は「１」であるから、判定手段１０３は、不要なタブ紙はないと判断し（Ｓ３０１、Ｙ）、図１２に示すようにＳ１１５へ遷移する。
【００８６】
引き続き新たな部の印刷を行う場合には（Ｓ１１５、Ｎ）、Ｓ１０１へ遷移し、上記説明と同様に印刷を行うことになる。印刷が終了し（Ｓ１１５、Ｙ）、不要なタブ紙の排紙を行っていなければ、終了となる。そして、記録用紙とタブ紙は、図１４に示したように排紙トレイ２５に排紙され積載されることになる。
【００８７】
一方、不要なタブ紙を排紙した場合には（Ｓ１１６、Ｙ）、制御手段１０１は、入力手段１０７の表示手段１１１に不要タブ紙の除去を促す警告の表示を行う（Ｓ１１７）。
【００８８】
（タブ紙排紙処理Ａ）
次に、タブ紙が紙詰まりを発生した後の再スタートで行う不要なタブ紙の排紙処理（タブ紙排紙処理Ａ）について主に図１１を用いて説明する。
【００８９】
例えば、図９を用いて説明したタブ紙を挿入する動作が実施されるなかで、例えば、タブ紙（Ｎｏ．２）が紙詰まりとなったとする。この場合、制御手段１０１は、装置の動作を一時的に停止する。また、例えば、紙詰まりを発生したことを示す所定のフラグをたてておく。一方、ユーザは、画像形成装置１から紙詰まりとなったタブ紙（Ｎｏ．２）を除去し、入力手段１０７のスタートキーを押下することにより再スタートの指示を入力する。
【００９０】
再スタートの指示の入力を受けて（Ｓ１００、Ｙ）、制御手段１０１は、印刷が可能となったら（Ｓ１０１、Ｙ）、当該ページの印刷を開始するが（Ｓ１０２）、制御手段１０１の判定手段１０３は、フラグによって紙詰まり後の再開であることを検知し（Ｓ１０３、Ｙ）、Ｓ１０５に遷移する。
【００９１】
タブ紙排紙処理Ａの詳細について、図１１に示す。図１１に示すように、制御手段１０１の判定手段１０３は、給紙タブ番号記憶手段１０５の給紙タブ番号及び排紙タブ番号記憶手段１０６の排紙タブ番号を参照して、給紙タブ番号と排紙タブ番号の差分を取得する（Ｓ２００）。判定手段１０３は、この差分から給紙トレイ４１の最上部のタブ紙が不要なタブ紙か否かを判定する。このとき、タブ紙（Ｎｏ．２）が給紙されて排紙されない状態であるから、給紙タブ番号は「３」、排紙タブ番号は「１」であり、差分は「２」となり、判定手段１０３は、不要なタブ紙であると判断し（Ｓ２０１、Ｎ）、制御手段１０１は、タブ紙を給紙するように給紙部４０を制御する（Ｓ２０２）。ここでは、タブ紙（Ｎｏ．３）が給紙される。そして、給紙検知手段１２１によりタブ紙（Ｎｏ．３）が給紙されたことを検知すると（Ｓ２０３、Ｙ）、制御手段１０１は、給紙タブ番号記憶手段１０５の給紙タブ番号をインクリメントし、「１」とする（Ｓ２０４）。さらに、制御手段１０１のタブ紙排紙制御手段１０４は、タブ紙を、予め設定された排紙するときのタブの向きとは変えて排紙するように片面反転排紙で排紙するように排紙手段１２３を制御し（Ｓ２０５）、排紙検知手段１２２によりタブ紙（Ｎｏ．１）が排紙されたことを検知する（Ｓ２０６）。このとき、排紙タブ番号記憶手段１０６の排紙タブ番号はインクリメントせずに、Ｓ２００に戻る。
【００９２】
再び、制御手段１０１の判定手段１０３は、給紙タブ番号記憶手段１０５の給紙タブ番号及び排紙タブ番号記憶手段１０６の排紙タブ番号を参照して、給紙タブ番号と排紙タブ番号の差分を取得する（Ｓ２００）。給紙タブ番号は「１」、排紙タブ番号は「１」であり、差分は「０」となり、判定手段１０３は、不要なタブ紙であると判断し（Ｓ２０１、Ｎ）、制御手段１０１は、タブ紙を給紙するように給紙部４０を制御する（Ｓ２０２）。ここでは、タブ紙（Ｎｏ．１）が給紙される。そして、給紙検知手段１２１によりタブ紙（Ｎｏ．１）が給紙されたことを検知すると（Ｓ２０３、Ｙ）、制御手段１０１は、給紙タブ番号記憶手段１０５の給紙タブ番号をインクリメントし、「２」とする（Ｓ２０４）。さらに、制御手段１０１のタブ紙排紙制御手段１０４は、タブ紙を、予め設定された排紙するときのタブの向きとは変えて排紙するように片面反転排紙で排紙するように排紙手段１２３を制御し（Ｓ２０５）、排紙検知手段１２２によりタブ紙（Ｎｏ．１）が排紙されたことを検知する（Ｓ２０６）。このとき、排紙タブ番号記憶手段１０６の排紙タブ番号はインクリメントせずに、再びＳ２００に戻る。
【００９３】
さらに再び、制御手段１０１の判定手段１０３は、給紙タブ番号記憶手段１０５の給紙タブ番号及び排紙タブ番号記憶手段１０６の排紙タブ番号を参照して、給紙タブ番号と排紙タブ番号の差分を取得する（Ｓ２００）。給紙タブ番号は「２」、排紙タブ番号は「１」であり、差分は「１」となり、判定手段１０３は、不要なタブ紙ではないと判断し（Ｓ２０１、Ｙ）、Ｓ１０７へ遷移する。つまり、差分が「１」になるまで、Ｓ２００乃至Ｓ２０６を繰り返すことになる。そして、（タブ紙挿入手順）で説明した処理手順により以降の印刷を行う。そして、不要なタブ紙を排紙したので（Ｓ１１６、Ｙ）、制御手段１０１は、入力手段１０７の表示手段１１１に不要タブ紙の除去を促す警告の表示を行う（Ｓ１１７）。
【００９４】
このようにして、記録用紙とタブ紙は、図７に示したように不要なタブ紙のタブ紙（Ｎｏ．３）及びタブ紙（Ｎｏ．１）はタブの向きを変えられて排紙トレイ２５に排紙され積載されることになる。
【００９５】
（タブ紙排紙処理Ｂ）
さらに、印刷が１部終了したときに行う不要なタブ紙の排紙処理（タブ紙排紙処理Ｂ）について主に図１２を用いて説明する。
【００９６】
例えば、タブ紙が１組あたりの３枚で、給紙トレイ４１にタブの向きを給紙方向の後端側とする向きで収容され、印刷設定が、印刷ページは５ページ、片面印刷、片面ストレート排紙で、印刷された記録用紙の３枚目及び５枚目の後にタブの向きを排紙方向の後端側とする向きで挿入するように設定されたものとする。
【００９７】
例えば、図９を用いて説明したように印刷が行われ、制御手段１０１の判定手段１０３は、１部の印刷の終了を検知し（Ｓ１１３、Ｙ）、Ｓ１１４に遷移する。
【００９８】
タブ紙排紙処理Ｂの詳細について、図１２に示す。図１２に示すように、制御手段１０１の判定手段１０３は、給紙タブ番号記憶手段１０５の給紙タブ番号を参照して、この給紙タブ番号から給紙トレイ４１の最上部のタブ紙が不要なタブ紙か否かを判定する。このとき、タブ紙（Ｎｏ．２）が給紙されて排紙された状態であるから、給紙タブ番号は「３」であり「１」ではないから（排紙タブ番号は「２」）、判定手段１０３は、不要なタブ紙であると判断し（Ｓ３０１、Ｎ）、制御手段１０１は、タブ紙を給紙するように給紙部４０を制御する（Ｓ３０２）。ここでは、タブ紙（Ｎｏ．３）が給紙される。そして、給紙検知手段１２１によりタブ紙（Ｎｏ．３）が給紙されたことを検知すると（Ｓ３０３、Ｙ）、制御手段１０１は、給紙タブ番号記憶手段１０５の給紙タブ番号をインクリメントし、「１」とする（Ｓ３０４）。さらに、制御手段１０１のタブ紙排紙制御手段１０４は、タブ紙を、予め設定された排紙するときのタブの向きとは変えて排紙するように片面反転排紙で排紙するように排紙手段１２３を制御し（Ｓ３０５）、排紙検知手段１２２によりタブ紙（Ｎｏ．１）が排紙されたことを検知すると（Ｓ３０６）、制御手段１０１は、排紙タブ番号記憶手段１０６の排紙タブ番号をインクリメントし、「０」とし（Ｓ３０７）、Ｓ３０１に戻る。
【００９９】
さらに再び、制御手段１０１の判定手段１０３は、給紙タブ番号記憶手段１０５の給紙タブ番号を参照する。このとき、給紙タブ番号は「１」であるから（排紙タブ番号は「２」）、判定手段１０３は、不要なタブ紙ではないと判断し（Ｓ３０１、Ｙ）、Ｓ１１５へ遷移する。つまり、給紙タブ番号が「１」になるまで、Ｓ３０１乃至Ｓ３０７を繰り返すことになる。そして、（タブ紙挿入手順）で説明した処理手順により以降の印刷を行う。そして、不要なタブ紙を排紙したので（Ｓ１１６、Ｙ）、制御手段１０１は、入力手段１０７の表示手段１１１に不要タブ紙の除去を促す警告の表示を行う（Ｓ１１７）。
【０１００】
このようにして、記録用紙とタブ紙は、図８に示したように不要なタブ紙のタブ紙（Ｎｏ．３）はタブの向きを変えられて排紙トレイ２５に排紙され積載されることになる。
【図面の簡単な説明】
【０１０１】
【図１】本実施の形態における画像形成装置の概略機械構成を示す断面図である。
【図２】本実施の形態の制御構成の一例を示す機能ブロック図である。
【図３】入力手段の構成の一例を示す図である。
【図４】図３に示す入力手段とは、表示内容が異なる入力手段の一例を示す図である。
【図５】１組のタブ紙の一例を示す図である。
【図６】（ａ）は、給紙タブ番号記憶手段の給紙タブ番号の数値の変化を左から右に示した図で、（ｂ）は、排紙タブ番号記憶手段の排紙タブ番号の数値変化を左から右に示した図である。
【図７】不要なタブ紙の排紙を行った場合に排紙トレイに排紙され積載された記録用紙とタブ紙の様子の一例を示す図である。
【図８】不要なタブ紙の排紙を行った場合に排紙トレイに排紙され積載された記録用紙とタブ紙の様子の一例を示す図である。
【図９】本実施の形態における動作態様の一例を示すフローチャートである。
【図１０】本実施の形態における動作態様の一例を示すフローチャートである。
【図１１】本実施の形態における不要なタブ紙の排紙処理の動作態様の一例を示すフローチャートである。
【図１２】本実施の形態における不要なタブ紙の排紙処理の動作態様の一例を示すフローチャートである。
【図１３】タブ紙の一例を示す図である。
【図１４】排紙トレイに排紙され積載された記録用紙とタブ紙の様子の一例を示す図である。
【符号の説明】
【０１０２】
１  画像形成装置
７  中間転写体ユニット
１０  作像部
２３  レジストローラ対
３０  反転排紙部
４０  給紙部
５０  定着部
６０  排紙部
７５  切換部
８０  反転給紙部
１００  制御部
１０１  制御手段
１０２  ハードウェア群
１０３  判定手段
１０４  タブ紙排紙制御手段
１０５  給紙タブ番号記憶手段
１０６  排紙タブ番号記憶手段
１０７  入力手段
１１１  表示手段
１２１  給紙検知手段
１２２  排紙検知手段
１２３  排紙手段
ＳＣ  画像読取部
【図１】
2007161406.tif 000003
【図２】
2007161406.tif 000004
【図３】
2007161406.tif 000005
【図４】
2007161406.tif 000006
【図５】
2007161406.tif 000007
【図６】
2007161406.tif 000008
【図７】
2007161406.tif 000009
【図８】
2007161406.tif 000010
【図９】
2007161406.tif 000011
【図１０】
2007161406.tif 000012
【図１１】
2007161406.tif 000013
【図１２】
2007161406.tif 000014
【図１３】
2007161406.tif 000015
【図１４】
2007161406.tif 000016